(57)【要約】【課題】撮像素子を具備する撮像装置において、多くのレイアウトスペースを必要とせず、配線本数も少なくすることができるドライバ構成を提供する。【解決手段】マトリクス状またはライン状に配された撮像素子１と、前記撮像素子１に対する駆動制御を行うために前記マトリクスの垂直方向または前記ラインが延びる方向に沿って配された単一のドライバ回路６とを備える。そして、前記ドライバ回路６が、前記撮像素子をリセットさせるリセットドライバとしての機能と、前記撮像素子からの信号読み出しを行うリードドライバとしての機能とを兼ね備えるようにする。【選択図】図１
2007336521.tif 000002
【特許請求の範囲】
【請求項１】
マトリクス状またはライン状に配された撮像素子と、
前記撮像素子に対する駆動制御を行うために前記マトリクスの垂直方向または前記ラインが延びる方向に沿って配された単一のドライバ回路とを備えるとともに、
前記ドライバ回路は、前記撮像素子をリセットさせるリセットドライバとしての機能と、前記撮像素子からの信号読み出しを行うリードドライバとしての機能とを兼ね備えている
ことを特徴とする撮像装置。
【請求項２】
前記ドライバ回路は、動作開始のトリガとなるスタート信号と、開始すべき動作を選別するための選別信号とを受け付けるとともに、前記スタート信号を受け付けると、そのときに受け付けている前記選別信号に応じて、リセット動作または信号読み出し動作のいずれかを前記撮像素子に行わせる
ことを特徴とする請求項１記載の撮像装置。
【請求項３】
前記撮像素子は、薄膜トランジスタを備えて構成され、当該薄膜トランジスタへの印加電圧の電圧値によって、光照射により発生する光電流を電圧変換する動作を行うか、蓄積電荷を基準値にリセットする動作を行うかが切り替わるものであり、
前記ドライバ回路は、前記薄膜トランジスタへの印加電圧を制御する電源電圧ドライバとしての機能をも兼ね備えている
ことを特徴とする請求項１記載の撮像装置。
【請求項４】
マトリクス状に配された画像表示素子を備えるとともに、
前記撮像素子は、前記画像表示素子に対応して配されている
ことを特徴とする請求項１記載の撮像装置。
【請求項５】
マトリクス状またはライン状に配された撮像素子を具備する撮像装置の駆動方法であって、
前記撮像素子に対する駆動制御を行うために前記マトリクスの垂直方向または前記ラインが延びる方向に沿って配された単一のドライバ回路に、動作開始のトリガとなるスタート信号と、開始すべき動作を選別するための選別信号とを与え、
前記スタート信号をトリガとして、前記撮像素子をリセットさせるリセット動作と、前記撮像素子からの信号読み出し動作とのいずれかを開始するとともに、
前記スタート信号を与えた際の前記選別信号の状態に応じて、開始する動作が前記リセット動作であるか、前記信号読み出し動作であるかを切り替える
ことを特徴とする撮像装置の駆動方法。
【請求項６】
マトリクス状に配された画像表示素子と、
前記画像表示素子に対応して配されている撮像素子と、
前記撮像素子に対する駆動制御を行うために前記マトリクスの垂直方向に沿って配された単一のドライバ回路とを備えるとともに、
前記ドライバ回路は、前記撮像素子をリセットさせるリセットドライバとしての機能と、前記撮像素子からの信号読み出しを行うリードドライバとしての機能とを兼ね備えている
ことを特徴とする表示装置。
【請求項７】
画像表示を行う表示装置を備えて構成された電子機器であって、
前記表示装置は、
マトリクス状に配された画像表示素子と、
前記画像表示素子に対応して配されている撮像素子と、
前記撮像素子に対する駆動制御を行うために前記マトリクスの垂直方向に沿って配された単一のドライバ回路とを備えるとともに、
前記ドライバ回路は、前記撮像素子をリセットさせるリセットドライバとしての機能と、前記撮像素子からの信号読み出しを行うリードドライバとしての機能とを兼ね備えている
ことを特徴とする電子機器。
【発明の詳細な説明】
【技術分野】
【０００１】
本発明は、撮像素子を具備する撮像装置およびその駆動方法、表示装置、並びに、電子機器に関する。
【背景技術】
【０００２】
一般に、画像を撮像する撮像素子としては、ＣＣＤ（Charge Coupled Devices）センサやＣＭＯＳ（Complementary Metal Oxide Semiconductor）センサ等の光電変換素子が広く知られているが、近年では薄膜トランジスタ（以下「ＴＦＴ」と略す）やキャパシタ等を組み合わせて光電変換素子として機能させることも提案されている。その一例としては、例えば、マトリクス状に配された各画素毎に、液晶表示素子と、光電変換素子として機能するＴＦＴ等とを備えるとともに、光源となるバックライトまたはフロントライトを備え、光源からの光が液晶表示素子を透過するのを利用して画像表示を行う一方で、ＴＦＴへの入射光を利用して情報入力を行い得るように構成されたものがある（例えば、特許文献１参照）。このような構成によれば、同一画面領域にて画像表示と情報入力とを行うことが可能となるので、タッチパネル等に代わる情報入出力デバイスとして活用されることが期待される。
【０００３】
ところで、光電変換素子として機能するＴＦＴ等がマトリクス状に配されている場合には、各ＴＦＴ等に対する駆動制御のために、例えば図１０に示すようなドライバ回路が必要である。すなわち、ＴＦＴ等がマトリクス状に配されてなるセンサ群１１に対し、そのマトリクスの垂直方向に沿って配される垂直ドライバとして、センサ群１１における電荷蓄積状態をリセットさせるためのリセットドライバ１２と、蓄積された電荷を読み出すためのリードドライバ１３と、印加電圧を制御するための電源電圧ドライバ１４とを設ける必要がある。また、マトリクスの水平方向に沿って、水平ドライバ１５が必要となる。これらのうち、リセットドライバ１２は、図１１に示すように、マトリクス配置における各ラインに対応すべくシフトレジスタを備えて構成されており、上位回路（ただし不図示）から与えられるリセット信号（ResetVST）をトリガとして、各ラインに対して順次リセット動作を行うようになっている。また、リードドライバ１３も同様に、上位回路から与えられるリード信号（ReadVST）をトリガとして、各ラインに対して順次信号読み出し動作を行うようになっている。そして、図１２に示すように、リセット信号（ResetVST）に応じてリセットドライバ１２がセンサ群１１の各ラインに対して順次リセット動作を行った後に、リードドライバ１３がリード信号（ReadVST）を受け取ると、リセット後にセンサ群１１で蓄積された電荷について、リードドライバ１３が順次信号読み出しを行うのである。
【０００４】
【特許文献１】特開２００２−２６８６１５号公報
【発明の開示】
【発明が解決しようとする課題】
【０００５】
しかしながら、上述した従来のドライバ回路の構成では、垂直ドライバとして、複数のドライバ回路１２，１３…を必要とするため、以下に述べる点で好ましいとは言えない。すなわち、複数のドライバ回路１２，１３…を備えると、そのために多くのレイアウトスペースを必要としてしまい、結果として有効画面領域の周囲における、いわゆる額縁領域のサイズが大きくなるおそれがある。また、複数のドライバ回路１２，１３…を備えていると、これに伴って配線本数も多くなることから、各画素における開口面積の確保が困難になることも考えられる。さらには、例えばセンサ群１１の一方の側に複数のドライバ回路１２，１３…が配されていると、そのうちの少なくとも一つを跨ぐように配線する必要が生じてしまい、レイアウト効率が非常に悪くなることが懸念される。
【０００６】
そこで、本発明は、多くのレイアウトスペースを必要とせず、配線本数も少なくすることができ、さらには配線がドライバ回路を跨いでしまうこともないドライバ構成を実現可能とする撮像装置およびその駆動方法、表示装置、並びに、電子機器を提供することを目的とする。
【課題を解決するための手段】
【０００７】
本発明は、上記目的を達成するために案出された撮像装置で、マトリクス状またはライン状に配された撮像素子と、前記撮像素子に対する駆動制御を行うために前記マトリクスの垂直方向または前記ラインが延びる方向に沿って配された単一のドライバ回路とを備えるとともに、前記ドライバ回路は、前記撮像素子をリセットさせるリセットドライバとしての機能と、前記撮像素子からの信号読み出しを行うリードドライバとしての機能とを兼ね備えていることを特徴とする。
【０００８】
上記構成の撮像装置では、単一のドライバ回路がリセットドライバとしての機能とリードドライバとしての機能とを兼ね備えている。したがって、従来は別々に配されていたドライバ回路が単一化されることになる。
【発明の効果】
【０００９】
以上のように、本発明によれば、ドライバ回路の単一化によって、レイアウトスペースを従来よりも縮小でき、結果として額縁領域のサイズを小さくすることが可能となる。また、制御信号が少なく、配線本数も少なくなる。さらには、片側の額縁領域に存在するドライバ回路を一つにすることができるので、ドライバ回路を跨って配線する必要もなくなり、良好なレイアウト効率が実現可能となる。
【発明を実施するための最良の形態】
【００１０】
以下、図面に基づき本発明に係る撮像装置およびその駆動方法、表示装置、並びに、電子機器について説明する。
【００１１】
先ず、本発明に係る撮像装置の概略構成について説明する。図１は本発明に係る撮像装置の概略構成例を示す回路図であり、図２はその要部構成例を示す回路図であり、図３はその要部の動作例を示すタイミングチャートである。
【００１２】
本実施形態で説明する撮像装置は、図１に示すように、複数の画素部１ａがマトリクス状に配されてなるセンサ群１を有している。このセンサ群１は、入射光を利用した情報入力を可能にする一方で、画像表示を行い得るように構成されたものである。つまり、表示装置としても機能するものである。
【００１３】
そのために、各画素部１ａは、図２に示すように、表示素子部２と、センサ素子部３と、から構成されている。
【００１４】
表示素子部２は、いわゆる低温ポリシリコン液晶として機能を構築するためのものである。詳しくは、多結晶シリコン（ポリシリコン）基板上に形成された液晶表示素子を備えて、その液晶表示素子が光源（バックライトまたはフロントライト）からの光を選択的に透過させることで、画像表示を行うものである。なお、低温ポリシリコン液晶の詳細については公知であるため、ここではその説明を省略するが、多結晶シリコンは非結晶（アモルファス）シリコンと比べて電気を通しやすいため{ HYPERLINK "http://e-words.jp/w/E6B6B2E699B6.html" ,液晶}反応速度が速くなり、また液晶を制御するための{ HYPERLINK "http://e-words.jp/w/E38388E383A9E383B3E382B8E382B9E382BF.html" ,トランジスタ}も小型化できるため開口面積の増大により輝度を上げることもできるという特徴が得られる。
【００１５】
センサ素子部３は、センサトランジスタ（以下、トランジスタを「Ｔｒ」と略す）３ａ、リセットＴｒ３ｂ、キャパシタ３ｃ、ソースフォロア回路３ｄおよび読み出しＴｒ３ｅが、低温ポリシリコン基板上に形成されてなるものである。そして、図３に示すように、リセットＴｒ３ｂのリセットによってキャパシタ３ｃの電荷を放電し初期状態にした後、受光した光量によって変化するセンサＴｒ３ａのリーク電流をキャパシタ３ｃに充電し、充電された電荷量によるキャパシタ３ｃの電圧をソースフォロア回路３ｄでインピーダンス変換し、ある一定期間後に読み出しＴｒ３ｅをＯＮしてセンサ出力を信号線に読み出すことで、光電変換素子として機能するように構成されている。
【００１６】
このような薄膜トランジスタが組み合わされてなる構成のセンサ素子部３を低温ポリシリコン基板上に形成することで、センサ群１は、表示素子部２とセンサ素子部３とを同一基板上にて各画素部１ａ毎に備えた集積型アクティブピクセルセンサアレイを構築することになる。
【００１７】
このようなセンサ群１に対しては、ドライバ回路がその駆動制御を行うようになっている。すなわち、センサ群１における表示素子部２およびセンサ素子部３の各構成要素は、画素マトリクスの垂直、水平方向のそれぞれに沿って延びる配線を介して、ドライバ回路に接続されている。
【００１８】
ただし、本実施形態で説明する撮像装置では、従来とは異なり、ドライバ回路として、図１に示すように、水平ドライバ４と、電源電圧ドライバ５と、リセット／リードドライバ６と、を備えている。このうち、水平ドライバ４は、センサ群１における画素マトリクスの水平方向に沿って配されている。なお、水平ドライバ４については、従来と同様であるため、ここではその詳細な説明を省略する。また、電源電圧ドライバ５およびリセット／リードドライバ６は、センサ群１における画素マトリクスの垂直方向に沿って配されている。すなわち、垂直ドライバとして機能する。ただし、それぞれがセンサ群１の別の側に振り分けて配されており、いずれか一方の側に複数の垂直ドライバ回路が配されているのではない。
【００１９】
垂直ドライバとして機能するドライバ回路のうち、電源電圧ドライバ５は、各画素部１ａのセンサ素子部３に対して、そのセンサ素子部３の構成要素への印加電圧の供給を制御するものである。
【００２０】
一方、リセット／リードドライバ６は、各画素部１ａのセンサ素子部３に対して、そのマトリクス配置の各ライン別に順次、キャパシタ３ｃの電荷を放電し初期状態にするリセット動作を行うとともに、キャパシタ３ｃに充電された電荷量によるキャパシタ３ｃの電圧を読み出してセンサ出力とする信号読み出し動作を行うものである。すなわち、リセット／リードドライバ６は、センサ素子部３をリセットさせるリセットドライバとしての機能と、センサ素子部３からの信号読み出しを行うリードドライバとしての機能とを兼ね備えたものである。
【００２１】
ここで、このリセット／リードドライバ６について、さらに詳しく説明する。図４は、本発明に係る撮像装置におけるリセット／リードドライバの構成例を示す回路図である。
【００２２】
リセット／リードドライバ６は、従来におけるリセットドライバ１２またはリードドライバ１３と同様に（図１１参照）、センサ群１のマトリクス配置における各ラインに対応すべく複数のシフトレジスタ６ａを備えて構成されている。ただし、これらのシフトレジスタ６ａには、上位回路（ただし不図示）から与えられるスタート信号（SVST）が入力される。このスタート信号は、従来におけるリセット信号（ResetVST）とリード信号（ReadVST）との論理和に相当するものであればよい。すなわち、このスタート信号は、リセット信号およびリード信号を基にして生成することが可能である。なお、スタート信号の生成は、上位回路側で行っても、あるいはリセット／リードドライバ６の側で行ってもよい。
【００２３】
また、リセット／リードドライバ６は、複数のシフトレジスタ６ａに対応して設けられた選別回路６ｂを備えて構成されている。この選別回路６ｂは、上位回路から与えられる選別信号（ENB2）に応じて、各シフトレジスタ６ａからの出力信号を、各画素部１ａのセンサ素子部３にリセット動作を行わせるための信号とするか、あるいは信号読み出し動作を行わせるための信号とするかを切り替えるものである。なお、選別回路６ｂの詳細な構成、すなわち信号切り替えのための構成は、コンパレータ等の公知技術を用いて実現すればよいため、ここではその説明を省略する。
【００２４】
このように、リセット／リードドライバ６は、動作開始のトリガとなるスタート信号（SVST）と、開始すべき動作を選別するための選別信号（ENB2）とを受け付け可能であり、スタート信号を受け付けると、そのときに受け付けている選別信号に応じて、リセット動作または信号読み出し動作のいずれかを各画素部１ａのセンサ素子部３に行わせるようになっている。これにより、リセット／リードドライバ６は、リセットドライバとしての機能と、リードドライバとしての機能とが、単一化されたものとなるのである。
【００２５】
続いて、以上のように構成された撮像装置の動作制御手順、すなわち本発明に係る撮像装置の駆動方法について説明する。なお、ここでは、主にセンサ群１の各画素部１ａにおけるセンサ素子部３に対する動作制御を説明し、表示素子部２に対する動作制御については従来と同様に行えばよいためその説明を省略する。
【００２６】
図５は、本発明に係る撮像装置の駆動方法における駆動手順の例を示すタイミングチャートである。図例のように、リセット／リードドライバ６では、上位回路からに与えられる基準クロック信号（SVCK）に同期しつつ、スタート信号（SVST）および選別信号（ENB2）が与えられると、そのスタート信号をトリガとして、リセット動作または信号読み出し動作のいずれかを各画素部１ａのセンサ素子部３に行わせる。このとき、リセット／リードドライバ６は、スタート信号が与えられた際の選別信号の状態に応じて、開始動作がリセット動作であるか、信号読み出し動作であるかを切り替える。具体的には、選別信号がハイ（Hi）状態であれば、リセット動作を開始させる。すなわち、スタート信号をトリガとして、マトリクス配置された各画素部１ａの各ラインに対し、各シフトレジスタ６ａが順次遅延させた信号を出力して、各画素部１ａにおけるセンサ素子部３のキャパシタ３ｃの電荷を放電し初期状態にする。一方、選別信号がロウ（Low）状態であれば、信号読み出し動作を開始させる。すなわち、スタート信号をトリガとして、マトリクス配置された各画素部１ａの各ラインに対し、各シフトレジスタ６ａが順次遅延させた信号を出力して、キャパシタ３ｃの電圧を読み出す。
【００２７】
以上に説明したように、上述した構成の撮像装置およびその駆動方法によれば、単一のドライバ回路であるリセット／リードドライバ６が、リセットドライバとしての機能とリードドライバとしての機能とを兼ね備えている。したがって、従来は別々に配されていたドライバ回路が単一化されることになるので、レイアウトスペースを従来よりも縮小でき、結果として額縁領域のサイズを小さくすることが可能となる。また、制御信号が少なく、配線本数も少なくなる。さらには、片側の額縁領域に存在するドライバ回路を一つにすることができるので、ドライバ回路を跨って配線する必要もなくなり、良好なレイアウト効率が実現可能となる。
【００２８】
しかも、リセット／リードドライバ６は、動作開始のトリガとなるスタート信号と、開始すべき動作を選別するための選別信号とを受け付けるとともに、スタート信号を受け付けると、そのときに受け付けている選別信号に応じて、リセット動作または信号読み出し動作のいずれかを各画素部１ａにおけるセンサ素子部３に行わせるようになっている。つまり、選択的に動作を行わせることで、本来は別個の機能であるリセットドライバとしての機能とリードドライバとしての機能とを単一化することができ、その場合であっても装置構成の複雑化に繋がる極端な必要信号数の増加等を招くことがない。
【００２９】
次に、本発明の他の実施形態について説明する。図６は本発明の他の実施形態における撮像装置の概略構成例を示す回路図であり、図７および図８はその要部構成例を示す回路図であり、図９はその動作例を示すタイミングチャートである。
【００３０】
他の実施形態として説明する撮像装置は、図６に示すように、センサ素子部３′の構成と、垂直ドライバとしてリセット／リード／電源電圧ドライバ７のみを備えている点とが、上述した実施形態における構成とは異なる。
【００３１】
センサ素子部３′は、図７に示すように、センサＴｒ３ａ、キャパシタ３ｃ、ソースフォロア回路３ｄおよび読み出しＴｒ３ｅが、低温ポリシリコン基板上に形成されてなるが、リセットＴｒ３ｂについては形成されていない。センサＴｒ３ａには、そのゲートにバイアス線Biasが接続されており、そのドレインに電源ラインVDDが接続されている。そして、センサＴｒ３ａは、バイアス線Biasを通じて印加される電圧値が所定の閾値以下の場合に、光電変換素子として機能するようになっている。つまり、センサとしての感度およびＳ／Ｎが最適となるように所定閾値を設定した上で、閾値以下の電圧をバイアス配線Biasに加えれば、センサＴｒ３ａが光電変換素子として機能する。一方、印加電圧値が閾値以上であれば、センサＴｒ３ａは、スイッチ用ＴＦＴとして機能し、キャパシタ３ｃの電荷を放電し初期状態にリセットする。つまり、閾値以上の電圧をバイアス線Biasに加え、かつ、電源ラインVDDの電圧をグラウンド（GND）電位とすれば、センサＴｒ３ａがリセット用ＴＦＴとして機能する。このように、上述した実施形態における構成のようにリセットＴｒ３ｂを備えていなくとも、バイアス線Biasおよび電源ラインVDDによる印加電圧を時間経過によって変化させれば、センサＴｒ３ａが光電変換素子またはリセット用ＴＦＴとして機能するのである。
【００３２】
バイアス線Biasおよび電源ラインVDDへの印加電圧の供給制御は、上述した実施形態における構成のように、電源電圧ドライバ５を備えていないことから、リセット／リード／電源電圧ドライバ７が行う。すなわち、リセット／リード／電源電圧ドライバ７は、リセットドライバとしての機能およびリードドライバとしての機能に加え、センサＴｒ３ａへの印加電圧を制御する電源電圧ドライバとしての機能をも兼ね備えているのである。
【００３３】
そのために、リセット／リード／電源電圧ドライバ７は、図８に示すように、上述した実施形態における構成と同様の複数のシフトレジスタ７ａおよび選別回路７ｂに加え、電源ラインVDDへの印加電圧を切り替える切替回路７ｃを備えている。この切替回路７ｃは、選別回路７ｂでの信号切り替えに応じて、電源ラインVDDへの印加電圧をグラウンド電位とするか否かを切り替えるものである。なお、切替回路７ｃの詳細な構成は、公知技術を用いて実現すればよいため、ここではその説明を省略する。
【００３４】
このような構成のリセット／リード／電源電圧ドライバ７では、図９に示すように、上位回路からに与えられるスタート信号をトリガとして、リセット動作のためのリセット信号（Reset1,2,3…）または信号読み出し動作のためのリード信号（Read1,2,3…）のいずれかを、各ラインのセンサ素子部３に対して順次出力する。このとき、リセット／リード／電源電圧ドライバ７は、スタート信号が与えられた際の選別信号の状態に応じて、リセット信号とリード信号とを切り替える。具体的には、選別信号がハイ（Hi）状態であればリセット信号を出力し、選別信号がロウ（Low）状態であればリード信号を出力する。
【００３５】
さらに、リセット／リード／電源電圧ドライバ７は、リセット信号またはリード信号をトリガとして、電源ラインVDDへの印加電圧をグラウンド電位とするか、電源電位とするかを切り替える。ただし、例えば１ライン目に対する電源ラインVDDについてであれば、３ライン目に対するリセット信号の立ち上がりをトリガにして電源電位の印加を開始し、３ライン目に対するリード信号の立ち上がりをトリガにしてグラウンド電位への切り替えを行う。このようなライン単位でのずれが生じているのは、ライン毎に順次処理を行う場合であっても、同一ラインに対する信号が重複する可能性を排除して、動作マージンを十分に確保し得るようにするためである。
【００３６】
以上に説明したように、本発明の他に実施形態における構成では、単一のドライバ回路であるリセット／リード／電源電圧ドライバ７が、リセットドライバとしての機能とリードドライバとしての機能に加え、電源電圧ドライバとしての機能をも兼ね備えている。したがって、より一層のレイアウトスペースの縮小が実現可能となり、結果として良好なレイアウト効率が実現させる上で非常に好適なものとなる。
【００３７】
なお、上述した各実施形態では、本発明の好適な実施具体例について説明したが、本発明はその内容に限定されるものではなく、その要旨を逸脱しない範囲で適宜変更することが可能である。
【００３８】
例えば、各実施形態では、情報入出力デバイスとしての活用が好適となるように、マトリクス状に配された表示素子部２を備えるとともに、その表示素子部２のそれぞれに対応して、すなわち各画素部１ａ毎に、センサ素子部３が配されている場合を例に挙げたが、本発明はこれに限定されることはなく、その配置については任意でよい。すなわち、センサ素子部３の配置は各画素部１ａ毎でなくてもよく、また各画素部１ａもマトリクス状ではなく、例えばライン状であっても構わない。
【００３９】
また、各実施形態では、リセット／リードドライバ６またはリセット／リード／電源電圧ドライバ７における選別回路６ｂ，７ｂが、選別信号（ENB2）によるＡＮＤ回路である場合を例に挙げたが、本発明は必ずしもこれに限定されるものでなく、論理合成し最適化することも可能である。
【００４０】
さらに、本発明に係る撮像装置（または表示装置）は、図１３に示すようにフラット型のモジュール形状のものを含む。例えば絶縁性の基板上に、液晶素子、薄膜トランジスタ、薄膜容量、受光素子等からなる画素をマトリックス状に集積形成した画素アレイ部を設ける、この画素アレイ部（画素マトリックス部）を囲むように接着剤を配し、ガラス等の対向基板を貼り付けて表示モジュールとする。この透明な対向基板には必要に応じて、カラーフィルタ、保護膜、遮光膜等を設けてももよい。表示モジュールには、外部から画素アレイ部への信号等を入出力するためのコネクタとして例えばＦＰＣ（フレキシブルプリントサーキット）を設けてもよい。
【００４１】
以上に説明した表示装置は、フラットパネル形状を有し、様々な電子機器、例えば、デジタルカメラ、ノート型パーソナルコンピューター、携帯電話、ビデオカメラなど、電子機器に入力された、若しくは、電子機器内で生成した映像信号を画像若しくは映像として表示するあらゆる分野の電子機器のディスプレイに適用することが可能である。
【００４２】
以下、このような表示装置を備えて構成された電子機器、すなわち本発明が適用された電子機器の具体例を示す。
【００４３】
図１４は本発明が適用されたテレビであり、フロントパネル１２、フィルターガラス１３等から構成される映像表示画面１１を含み、本発明の表示装置をその映像表示画面１１に用いることにより作製される。
【００４４】
図１５は本発明が適用されたデジタルカメラであり、上が正面図で下が背面図である。このデジタルカメラは、撮像レンズ、フラッシュ用の発光部１５、表示部１６、コントロールスイッチ、メニュースイッチ、シャッター１９等を含み、本発明の表示装置をその表示部１６に用いることにより作製される。
【００４５】
図１６は本発明が適用されたノート型パーソナルコンピュータであり、本体２０には文字等を入力するとき操作されるキーボード２１を含み、本体カバーには画像を表示する表示部２２を含み、本発明の表示装置をその表示部２２に用いることにより作製される。
【００４６】
図１７は本発明が適用された携帯端末装置であり、左が開いた状態を表し、右が閉じた状態を表している。この携帯端末装置は、上側筐体２３、下側筐体２４、連結部（ここではヒンジ部）２５、ディスプレイ２６、サブディスプレイ２７、ピクチャーライト２８、カメラ２９等を含み、本発明の表示装置をそのディスプレイ２６やサブディスプレイ２７に用いることにより作製される。
【００４７】
図１８は本発明が適用されたビデオカメラであり、本体部３０、前方を向いた側面に被写体撮影用のレンズ３４、撮影時のスタート／ストップスイッチ３５、モニター３６等を含み、本発明の表示装置をそのモニター３６に用いることにより作製される。
【図面の簡単な説明】
【００４８】
【図１】本発明に係る撮像装置の概略構成例を示す回路図である。
【図２】本発明に係る撮像装置の要部構成例を示す回路図である。
【図３】本発明に係る撮像装置の要部の動作例を示すタイミングチャートである。
【図４】本発明に係る撮像装置におけるリセット／リードドライバの構成例を示す回路図である。
【図５】本発明に係る撮像装置の駆動方法における駆動手順の例を示すタイミングチャートである。
【図６】本発明の他の実施形態における撮像装置の概略構成例を示す回路図である。
【図７】本発明の他の実施形態における撮像装置の要部構成例を示す回路図（その１）である。
【図８】本発明の他の実施形態における撮像装置の要部構成例を示す回路図（その２）である。
【図９】本発明の他の実施形態における撮像装置の動作例を示すタイミングチャートである。
【図１０】従来の撮像装置の概略構成例を示す回路図である。
【図１１】従来の撮像装置の要部構成例を示す回路図である。
【図１２】従来の撮像装置の動作例を示すタイミングチャートである。
【図１３】本発明に係る表示装置のモジュール構成を示す平面図である。
【図１４】本発明に係る表示装置を備えたテレビジョンセットを示す斜視図である。
【図１５】本発明に係る表示装置を備えたデジタルスチルカメラを示す斜視図である。
【図１６】本発明に係る表示装置を備えたノート型パーソナルコンピューターを示す斜視図である。
【図１７】本発明に係る表示装置を備えた携帯端末装置を示す模式図である。
【図１８】本発明に係る表示装置を備えたビデオカメラを示す斜視図である。
【符号の説明】
【００４９】
１…センサ群、１ａ…画素部、２…表示素子部、３…センサ素子部、３ａ…センサＴｒ、３ｂ…リセットＴｒ、３ｃ…キャパシタ、３ｄ…ソースフォロア回路、３ｅ…読み出しＴｒ入力書面、４…水平ドライバ、５…電源電圧ドライバ、６…リセット／リードドライバ、６ａ…シフトレジスタ、６ｂ…選別回路、７…リセット／リード／電源電圧ドライバ、７ａ…シフトレジスタ、７ｂ…選別回路、７ｃ…切替回路
【図１】
2007336521.tif 000003
【図２】
2007336521.tif 000004
【図３】
2007336521.tif 000005
【図４】
2007336521.tif 000006
【図５】
2007336521.tif 000007
【図６】
2007336521.tif 000008
【図７】
2007336521.tif 000009
【図８】
2007336521.tif 000010
【図９】
2007336521.tif 000011
【図１０】
2007336521.tif 000012
【図１１】
2007336521.tif 000013
【図１２】
2007336521.tif 000014
【図１３】
2007336521.tif 000015
【図１４】
2007336521.tif 000016
【図１５】
2007336521.tif 000017
【図１６】
2007336521.tif 000018
【図１７】
2007336521.tif 000019
【図１８】
2007336521.tif 000020